(57)【要約】【課題】適切にかつ効率よく商品にＰＯＰラベルを貼付することを可能にするＰＯＰラベル貼付支援システム、及び、これを利用したラベル提供システム及び包装システムを提供する。【解決手段】ＰＯＰラベル貼付支援システムは、記憶部と、報知部と、を備える。記憶部は、商品を特定する商品情報と、その商品に対応する、商品へのＰＯＰラベルの貼付に関するＰＯＰラベル情報とを関連付けて商品別ＰＯＰラベル情報として記憶する。報知部は、商品が選択されると、商品別ＰＯＰラベル情報に基づき、選択された商品に対応するＰＯＰラベル情報を報知する。【選択図】図１１
2018131232.tif 000002
【特許請求の範囲】
【請求項１】
商品を特定する商品情報と、その商品に対応する、前記商品へのＰＯＰラベルの貼付に関するＰＯＰラベル情報とを関連付けて商品別ＰＯＰラベル情報として記憶する記憶部と、
前記商品が選択されると、前記商品別ＰＯＰラベル情報に基づき、選択された前記商品に対応する前記ＰＯＰラベル情報を報知する報知部と、
を備えるＰＯＰラベル貼付支援システム。
【請求項２】
前記ＰＯＰラベル情報には、前記商品に貼付される前記ＰＯＰラベルを特定するＰＯＰラベル特定情報を含む、
請求項１に記載のＰＯＰラベル貼付支援システム。
【請求項３】
前記ＰＯＰラベル情報には、前記商品に貼付される前記ＰＯＰラベルの貼付位置を特定する貼付位置情報を含む、
請求項１又は２に記載のＰＯＰラベル貼付支援システム。
【請求項４】
前記ＰＯＰラベル情報には、前記商品に貼付される前記ＰＯＰラベルの貼付姿勢を特定する貼付姿勢情報を含む、
請求項１から３のいずれか１項に記載のＰＯＰラベル貼付支援システム。
【請求項５】
表示部を更に備え、
前記ＰＯＰラベル情報には、前記ＰＯＰラベルが適切に貼付された状態の前記商品の画像情報を含み、
前記報知部は、前記ＰＯＰラベル情報の報知として、前記表示部に少なくとも前記画像情報を表示させる、
請求項１から４のいずれか１項に記載のＰＯＰラベル貼付支援システム。
【請求項６】
前記ＰＯＰラベルを貼付後の前記商品の商品画像を撮像する撮像部と、
前記商品画像及び前記商品別ＰＯＰラベル情報に基づいて、前記ＰＯＰラベルの前記商品への貼付の適否を判定する貼付適否判定部、を更に備える、
請求項１から５のいずれか１項に記載のＰＯＰラベル貼付支援システム。
【請求項７】
前記記憶部及び前記報知部、を複数備え、
複数の前記記憶部を管理する記憶部管理部、を更に備え、
前記報知部のそれぞれは、前記記憶部のいずれかと関連付けられ、前記商品が選択されると、その報知部と関連付けられた前記記憶部に記憶された前記商品別ＰＯＰラベル情報に基づき、選択された前記商品に対応する前記ＰＯＰラベル情報を報知し、
前記記憶部管理部は、前記記憶部の全部又は一部について、前記記憶部に記憶された前記商品別ＰＯＰラベル情報を更新する、
請求項１から６のいずれか１項に記載のＰＯＰラベル貼付支援システム。
【請求項８】
前記記憶部のそれぞれに対応して設けられ、対応する前記記憶部に記憶されている前記商品別ＰＯＰラベル情報の更新を受け付ける受付部を更に備える、
請求項７に記載のＰＯＰラベル貼付支援システム。
【請求項９】
請求項１から８のいずれか１項に記載のＰＯＰラベル貼付支援システムと、
少なくとも商品名を印字内容に含む主ラベルを印字して発行するラベル発行装置と、
複数の前記ＰＯＰラベルをそれぞれの格納場所において格納する格納部と、
を備え、
前記ＰＯＰラベル情報には、前記ＰＯＰラベルが格納されている前記格納場所の情報を含む、
ラベル提供システム。
【請求項１０】
請求項１から８のいずれか１項に記載のＰＯＰラベル貼付支援システムと、
未包装の前記商品を包装する包装機構と、
包装済みの前記商品に、少なくとも商品名を印字内容に含む主ラベルと、前記ＰＯＰラベルとを貼付する貼付機構と、
を備え、
前記貼付機構は、前記ＰＯＰラベル貼付支援システムの前記報知部により報知される前記ＰＯＰラベル情報の少なくとも一部に基づいて、前記ＰＯＰラベルを前記商品に貼付する、
包装システム。
【発明の詳細な説明】
【技術分野】
【０００１】
本発明は、ＰＯＰラベル貼付支援システム、及び、ＰＯＰラベル貼付支援システムを備えたラベル提供システム及び包装システムに関する。
【背景技術】
【０００２】
スーパーマーケット等の店舗等において、販売される商品（例えば食品等が収容されている容器）に商品名等が印字されたラベルが貼付される場合がある。例えば、特許文献１（特開２００２−１７２８２０号公報）には、このようなラベルを生産する装置として、スーパーマーケット等に設置され、商品に貼付されるラベルを印字・発行するラベル印字装置が開示されている。
【０００３】
さて、商品には、商品名のような購買者に最低限伝えるべき情報が印字された上記のようなラベル（このようなラベルをここでは主ラベルと呼ぶ）以外に、ＰＯＰラベルが貼付される場合がある。ここで、ＰＯＰラベルとは、購買者の商品に対する購買意欲を惹起する情報（例えば、商品の品質、産地、割引等に関する情報）を提供するラベルを意味する。このようなＰＯＰラベルは、通常、無作為に商品に貼付されるのではなく、商品を販売する店舗の管理者等が、ＰＯＰラベルが購買者に与える印象、ＰＯＰラベルの視認性、ＰＯＰラベル貼付後の商品の美観等の観点から各商品について定めた規定に則り商品に貼付される。
【発明の概要】
【発明が解決しようとする課題】
【０００４】
ところで、スーパーマーケット等の店舗等では、一般に多種類の商品が取り扱われる。また、スーパーマーケット等の店舗等では、様々な種類のＰＯＰラベルが使用される場合がある。さらに、同一の商品では、主ラベルの貼付の態様は変更されることが少ないのに対し、商品に貼付するＰＯＰラベルの種類や貼付の態様は、比較的頻繁に変更される場合がある。
【０００５】
このような環境では、商品に対するＰＯＰラベルが規定から外れた態様で貼付される誤りが発生しやすい。また、このような誤りは発生しなくても、商品別に定められた規定を、規定を定めた管理者等に毎回確認しながら商品にＰＯＰラベルを貼付する場合、作業者の負担が大きく、作業効率が低下しやすい。
【０００６】
本発明の課題は、適切にかつ効率よく商品にＰＯＰラベルを貼付することを可能にするＰＯＰラベル貼付支援システム、及び、これを利用したラベル提供システム及び包装システムを提供することにある。
【課題を解決するための手段】
【０００７】
本発明の第１観点に係るＰＯＰラベル貼付支援システムは、記憶部と、報知部と、を備える。記憶部は、商品を特定する商品情報と、その商品に対応する、商品へのＰＯＰラベルの貼付に関するＰＯＰラベル情報とを関連付けて商品別ＰＯＰラベル情報として記憶する。報知部は、商品が選択されると、商品別ＰＯＰラベル情報に基づき、選択された商品に対応するＰＯＰラベル情報を報知する。
【０００８】
ここで、ＰＯＰラベルとは、購買者の商品に対する購買意欲を惹起する情報を提供するラベルを意味する。購買者の商品に対する購買意欲を惹起する情報には、例えば、商品の品質に関する情報（例えば、"新鮮"等の文字情報や、肉のランクの情報）、商品の産地に関する情報、商品の割引に関する情報（例えば、"特売"、“広告の品"等の文字情報）の他、販売促進・広告のための各種情報を含む。なお、ＰＯＰラベルに印字される情報は、文字情報に限定されるものではなく、販売を促進するための画像情報（例えば商品のイメージ画像等）であってもよい。
【０００９】
このＰＯＰラベル貼付支援システムでは、商品が選択されると、その商品に対応する、商品へのＰＯＰラベルの貼付に関する情報（ＰＯＰラベル情報）が報知される。そのため、商品に、適切に（規定に則って）、効率よくＰＯＰラベルを貼付することができる。
【００１０】
本発明の第２観点に係るＰＯＰラベル貼付支援システムは、第１観点に係るＰＯＰラベル貼付支援システムであって、ＰＯＰラベル情報には、商品に貼付されるＰＯＰラベルを特定するＰＯＰラベル特定情報を含む。
【００１１】
このＰＯＰラベル貼付支援システムでは、商品が選択されると、その商品に貼付するＰＯＰラベルが報知されるので、商品に誤ったＰＯＰラベルが貼付されたり、ＰＯＰラベルの貼り忘れが発生したりすることを防止できる。
【００１２】
本発明の第３観点に係るＰＯＰラベル貼付支援システムは、第１観点又は第２観点に係るＰＯＰラベル貼付支援システムであって、ＰＯＰラベル情報には、商品に貼付されるＰＯＰラベルの貼付位置を特定する貼付位置情報を含む。
【００１３】
このＰＯＰラベル貼付支援システムでは、商品が選択されると、その商品にＰＯＰラベルを貼付する位置が報知されるので、商品に、適切に（規定に則って）、効率よくＰＯＰラベルを貼付することができる。
【００１４】
本発明の第４観点に係るＰＯＰラベル貼付支援システムは、第１観点から第３観点のいずれかに係るＰＯＰラベル貼付支援システムであって、ＰＯＰラベル情報には、商品に貼付されるＰＯＰラベルの貼付姿勢を特定する貼付姿勢情報を含む。
【００１５】
このＰＯＰラベル貼付支援システムでは、商品が選択されると、その商品にＰＯＰラベルを貼付する姿勢が報知されるので、商品に、適切に（規定に則って）、効率よくＰＯＰラベルを貼付することができる。
【００１６】
本発明の第５観点に係るＰＯＰラベル貼付支援システムは、第１観点から第４観点のいずれかに係るＰＯＰラベル貼付支援システムであって、表示部を更に備える。ＰＯＰラベル情報には、ＰＯＰラベルが適切に貼付された状態の商品の画像情報を含む。報知部は、ＰＯＰラベル情報の報知として、表示部に少なくとも画像情報を表示させる。
【００１７】
このＰＯＰラベル貼付支援システムでは、ＰＯＰラベル情報の報知として、ＰＯＰラベルが適切に貼付された商品の画像が表示部に表示される。そのため、商品へのＰＯＰラベルの貼付を行う作業者は、商品に、どのＰＯＰラベルをどの様に貼付すればよいかを瞬時に把握できる。また、文字情報とは異なり、商品の販売される国の言語に堪能ではない外国人作業者等であっても、容易にどのＰＯＰラベルをどの様に貼付すればよいかを把握できる。
【００１８】
本発明の第６観点に係るＰＯＰラベル貼付支援システムは、第１観点から第５観点のいずれかに係るＰＯＰラベル貼付支援システムであって、撮像部と、貼付適否判定部と、を更に備える。撮像部は、ＰＯＰラベルを貼付後の商品の商品画像を撮像する。貼付適否判定部は、商品画像及び商品別ＰＯＰラベル情報に基づいて、ＰＯＰラベルの商品への貼付の適否を判定する。
【００１９】
このＰＯＰラベル貼付支援システムでは、ＰＯＰラベル情報を報知するのに加え、ＰＯＰラベルの商品への貼付の適否が判定されるため、仮に商品に誤った態様でＰＯＰラベルが貼付されたとしても、これを発見することができる。
【００２０】
本発明の第７観点に係るＰＯＰラベル貼付支援システムは、第１観点から第６観点のいずれかに係るＰＯＰラベル貼付支援システムであって、記憶部及び報知部、を複数備える。また、ＰＯＰラベル貼付支援システムは、複数の記憶部を管理する記憶部管理部、を更に備える。報知部のそれぞれは、記憶部のいずれかと関連付けられる。報知部のそれぞれは、商品が選択されると、その報知部と関連付けられた記憶部に記憶された商品別ＰＯＰラベル情報に基づき、選択された商品に対応するＰＯＰラベル情報を報知する。記憶部管理部は、記憶部の全部又は一部について、記憶部に記憶された商品別ＰＯＰラベル情報を更新する。
【００２１】
このＰＯＰラベル貼付支援システムでは、上位側の記憶部管理部で下位側の記憶部の商品別ＰＯＰラベル情報を更新できる。そのため、商品に対するＰＯＰラベルの貼付が行われる拠点が複数ある場合にも、商品に対するＰＯＰラベルの規定を集中管理することができる。
【００２２】
本発明の第８観点に係るＰＯＰラベル貼付支援システムは、第７観点に係るＰＯＰラベル貼付支援システムであって、記憶部のそれぞれに対応して設けられ、対応する記憶部に記憶されている商品別ＰＯＰラベル情報の更新を受け付ける受付部を更に備える。
【００２３】
このＰＯＰラベル貼付支援システムでは、下位側（各記憶部）で商品別ＰＯＰラベル情報を個別に更新できる。そのため、他の拠点とは独立して商品に対するＰＯＰラベルの規定を決定する場合にも、この規定を記憶部に反映し、これを商品が選択された時に報知することができる。
【００２４】
本発明の第９観点に係るラベル提供システムは、第１観点から第８観点のいずれかに係るＰＯＰラベル貼付支援システムと、ラベル発行装置と、格納部と、を備える。ラベル発行装置は、少なくとも商品名を印字内容に含む主ラベルを印字して発行する。格納部は、複数のＰＯＰラベルをそれぞれの格納場所において格納する。ＰＯＰラベル情報には、ＰＯＰラベルが格納されている格納場所の情報を含む。
【００２５】
このラベル提供システムでは、商品が選択されると、その商品に対応するＰＯＰラベルの商品への貼付に関する情報が報知されるので、商品に適切かつ効率よくＰＯＰラベルを貼付することができる。特に、本ラベル提供システムでは、商品が選択されると、その商品に関するＰＯＰラベルの格納部における格納場所が報知されるため、商品に誤ったＰＯＰラベルが貼付されることや、ＰＯＰラベルの貼り忘れを防止できる。また、商品へのＰＯＰラベル貼付を行う作業者は、格納部から商品に貼付するＰＯＰラベルを迅速に見つけ出すことができる。
【００２６】
本発明の第１０観点に係る包装システムは、第１観点から第８観点のいずれかに係るＰＯＰラベル貼付支援システムと、包装機構と、貼付機構と、を備える。包装機構は、未包装の商品を包装する。貼付機構は、包装済みの商品に、少なくとも商品名を印字内容に含む主ラベルと、ＰＯＰラベルとを貼付する。貼付機構は、ＰＯＰラベル貼付支援システムの報知部により報知されるＰＯＰラベル情報の少なくとも一部に基づいて、ＰＯＰラベルを商品に貼付する。
【００２７】
この包装システムでは、ＰＯＰラベル貼り付け支援システムが報知するＰＯＰラベル情報に基づいて商品にＰＯＰラベルが貼付されるので、商品に、適切に（規定に則って）、効率よくＰＯＰラベルを貼付することができる。
【発明の効果】
【００２８】
本発明に係るＰＯＰラベル貼付支援システムでは、商品が選択されると、その商品に対応する、商品へのＰＯＰラベルの貼付に関する情報（ＰＯＰラベル情報）が報知される。そのため、商品に、適切に（規定に則って）、効率よくＰＯＰラベルを貼付することができる。
【００２９】
本発明に係るラベル提供システムでは、商品が選択されると、その商品に対応するＰＯＰラベルの商品への貼付に関する情報が報知されるので、商品に適切かつ効率よくＰＯＰラベルを貼付することができる。
【００３０】
本発明に係る包装システムでは、ＰＯＰラベル貼り付け支援システムが報知するＰＯＰラベル情報に基づいて商品にＰＯＰラベルが貼付されるので、商品に、適切に（規定に則って）、効率よくＰＯＰラベルを貼付することができる。
【図面の簡単な説明】
【００３１】
【図１】本発明の第１実施形態に係るＰＯＰラベル貼付支援システムを備えたラベル提供システムのブロック図である。
【図２】図１のラベル提供システムが使用される作業場の概略平面図である。
【図３】図１のラベル提供システムが使用される作業場の概略側面図である。
【図４】図１のラベル提供システムの格納棚を模式的に描画した図である。
【図５】図４の格納棚に格納されるＰＯＰラベルの例である。
【図６】図１のラベル提供システムの計量ラベル発行装置の概略斜視図である。
【図７】図１のＰＯＰラベル貼付支援システムの表示装置のブロック図である。
【図８】図１のＰＯＰラベル貼付支援システムのコンピュータのブロック図である。
【図９】図８のコンピュータに記憶されるラベル別格納情報の例である。
【図１０】図８のコンピュータに記憶される商品別ＰＯＰラベル情報の例である。
【図１１】図７の表示装置に表示されるＰＯＰラベル貼付支援画像の例である。
【図１２】本発明の第２実施形態に係るＰＯＰラベル貼付支援システムを備えた包装システムのブロック図である。
【図１３】図１２の包装システムの包装ラベル貼付装置の斜視図である。
【図１４】図１２のＰＯＰラベル貼付支援システムのコンピュータのブロック図である。
【発明を実施するための形態】
【００３２】
本発明のＰＯＰラベル貼付支援システムの実施形態、及び、そのＰＯＰラベル貼付支援システムを備えたラベル提供システム及び包装システムの実施形態について図面を参照しながら説明する。なお、以下の実施形態は、本発明の具体例であり本発明の技術的範囲を限定するものではなく、本発明の趣旨を逸脱しない範囲で適宜変更可能である。
【００３３】
＜第１実施形態＞
本発明のＰＯＰラベル貼付支援システムの一実施形態に係るＰＯＰラベル貼付支援システム１００、及び、ＰＯＰラベル貼付支援システム１００を備えたラベル提供システム１０００について説明する。
【００３４】
（１）全体構成
図１は、ＰＯＰラベル貼付支援システム１００を備えたラベル提供システム１０００のブロック図である。図２は、ラベル提供システム１０００が使用される作業場の概略平面図である。図３は、ラベル提供システム１０００が使用される作業場の概略側面図である。図２及び図３は、ラベル貼付作業場における、格納棚１０、計量ラベル発行装置３００、表示装置４０、ラベル検査装置２００、及び作業台８０の配置の一例を描画している。
【００３５】
ラベル提供システム１０００は、商品にラベルを付す作業が行われる複数の作業場Ｂ１，Ｂ２，・・・Ｂｎにおいて、商品に貼付するラベルを提供するシステムである（図１参照）。作業場Ｂ１，Ｂ２，・・・Ｂｎは、例えば、各種商品（例えば、生鮮食品等）の販売されるスーパーマーケット等の店舗や、店舗で販売される商品の加工拠点等である。
【００３６】
ラベル提供システム１０００は、例えば、商品名、商品の重量、商品価格、及び商品ＩＤ（バーコード）を印字内容に含む主ラベルを印字し、発行する。商品にラベルを貼付する作業員は、ラベル提供システム１０００が印字・発行する主ラベルを作業台８０（図２参照）上で商品に付す。
【００３７】
また、ラベル提供システム１０００は、商品に付される複数種類のＰＯＰラベルを格納する。ラベル提供システム１０００は、種類別に、それぞれのＰＯＰラベルの格納場所に格納する。ラベル提供システム１０００が有するＰＯＰラベル貼付支援システム１００は、商品にラベルを貼付する作業員に対し、商品に付すＰＯＰラベルの種類、そのＰＯＰラベルの商品への貼り方（貼付位置、貼付姿勢）、そのＰＯＰラベルの格納場所等を報知する。商品にラベルを貼付する作業員は、ラベル提供システム１０００に格納されたＰＯＰラベルを取り出し、ＰＯＰラベル貼付支援システム１００の報知内容を参照しながら、作業台８０上でＰＯＰラベルを商品に付す。
【００３８】
通常、商品には、主ラベルと、少なくとも１枚のＰＯＰラベルが貼付される。以下の説明では、特記無き場合、商品には、主ラベルと、少なくとも１枚のＰＯＰラベルが貼付されるものとする。ただし、ラベル提供システム１０００を使用してラベルが貼り付けられる商品の中には、主ラベルだけが貼付される商品や、ＰＯＰラベルだけが貼付される商品があってもよい。
【００３９】
ラベル提供システム１０００は、主に、ＰＯＰラベル貼付支援システム１００と、格納棚１０と、各格納棚１０に対して複数設けられる情報表示器３０と、計量ラベル発行装置３００と、を備える（図１参照）。
【００４０】
ＰＯＰラベル貼付支援システム１００は、コンピュータ２０と、表示装置４０と、ラベル検査装置２００と、管理サーバ４００と、を含む（図１参照）。管理サーバ４００は、通常、作業場Ｂ１，Ｂ２，・・・Ｂｎ以外の場所に設置されるが、これに限定されるものではなく、作業場Ｂ１，Ｂ２，・・・Ｂｎのいずれかに設置されてもよい。
【００４１】
作業場Ｂ１，Ｂ２，・・・Ｂｎには、それぞれ、１つ又は複数の格納棚１０と、各格納棚１０に対して複数設けられる情報表示器３０と、１台又は複数台の計量ラベル発行装置３００と、が設置される。なお図１中では、作業場Ｂ１以外に設置される格納棚１０、情報表示器３０及び計量ラベル発行装置３００については描画を省略している。また、作業場Ｂ１，Ｂ２，・・・Ｂｎには、それぞれ、表示装置４０と、コンピュータ２０と、ラベル検査装置２００と、が設置される。なお、各作業場Ｂ１，Ｂ２，・・・Ｂｎに設置される表示装置４０、コンピュータ２０及びラベル検査装置２００の台数は、１台であっても、複数台であってもよい。
【００４２】
以下の格納棚１０、情報表示器３０、計量ラベル発行装置３００、表示装置４０、コンピュータ２０、及びラベル検査装置２００に関する説明では、作業場Ｂ１に設置されるこれらの機器１０、３０、３００、４０、２０、２００について説明する。他の作業場Ｂ２，・・・Ｂｎに設置される機器１０、３０、３００、４０、２０、２００は、作業場Ｂ１に設置される機器１０、３０、３００、４０、２０、２００と同様であるため、他の作業場Ｂ２，・・・Ｂｎに設置される機器１０、３０、３００、４０、２０、２００についての説明は省略する。
【００４３】
格納棚１０は、ＰＯＰラベルを格納する格納場所Ｐを複数有する（図１参照）。各格納場所Ｐには、それぞれ異なる種類の、所定のＰＯＰラベルが格納されている。ＰＯＰラベルには、例えば、図５に示すようなＰＯＰラベルＲ１〜Ｒ３を含む。
【００４４】
ここで、ＰＯＰラベルとは、購買者の商品に対する購買意欲を惹起する情報を提供するラベルを意味する。購買者の商品に対する購買意欲を惹起する情報には、例えば、商品の品質に関する情報、商品の産地に関する情報、商品の割引に関する情報の他、販売促進・広告のための各種情報を含む。例えばＰＯＰラベルＲ１（図５（ａ）参照）は、商品が新鮮であるという商品の品質に関する情報を購買者に対して提供するＰＯＰラベルの一例である。ＰＯＰラベルＲ２（図５（ｂ）参照）は、商品の産地に関する情報を購買者に対して提供するＰＯＰラベルの一例である。ＰＯＰラベルＲ３（図５（ｃ）参照）は、商品が特別価格で提供されているという商品の割引に関する情報を購買者に対して提供するＰＯＰラベルの一例である。
【００４５】
なお、ＰＯＰラベルの印字内容は、ＰＯＰラベルＲ１〜Ｒ３に示した印字内容に限定されるものではなく、様々な購買者の商品に対する購買意欲を惹起する情報を含むことができる。また、ＰＯＰラベルの印字内容は、文字情報に限定されるものではなく、販売を促進できるような画像情報（例えばイメージ写真等）であってもよい。また、ＰＯＰラベルには様々なデザイン（フォントやラベルの形状等）を採用可能である。
【００４６】
情報表示器３０は、格納棚１０の格納場所Ｐのそれぞれに対応付けて配置され、後述する待機状態表示や、選択状態表示を表示部（描画省略）に表示する装置である。
【００４７】
計量ラベル発行装置３００は、商品の重量を計量し、重量に応じた商品価格を算出し、商品名、商品の重量、商品価格、及び商品ＩＤ（バーコード）を印字内容に含む主ラベルを印字し、発行する装置である。
【００４８】
コンピュータ２０は、商品を特定する商品情報と、その商品に対応する、商品へのＰＯＰラベルの貼付に関するＰＯＰラベル情報とを関連付けて、商品別ＰＯＰラベル情報として記憶する。また、コンピュータ２０は、商品にラベルを貼付する作業員に対し、ＰＯＰラベル情報を報知する。商品別ＰＯＰラベル情報、及び、ＰＯＰラベル情報の報知については後述する。また、コンピュータ２０は、計量ラベル発行装置３００に主ラベルの印字に必要な情報を提供する。
【００４９】
表示装置４０は、その表示部４１に、後述するＰＯＰラベル情報の少なくとも一部を含むＰＯＰラベル貼付支援画像を表示する装置である。ＰＯＰラベル貼付支援画像については後述する。
【００５０】
ラベル検査装置２００は、主ラベル及びＰＯＰラベル貼付後の商品の画像（商品画像）を撮像し、商品画及び前述の商品別ＰＯＰラベル情報に基づいて、少なくともＰＯＰラベルの商品への貼付が適否を判定する装置である。
【００５１】
コンピュータ２０と情報表示器３０とは、ネットワーク９１を介して接続されている。コンピュータ２０と表示装置４０とは、ネットワーク９２を介して接続されている。ネットワーク９１は、コンピュータ２０と情報表示器３０との間で送受信される信号の伝送路として機能する。ネットワーク９２は、コンピュータ２０と表示装置４０との間で送受信される信号の伝送路として機能する。ネットワーク９１，９２は、アクセスポイント（図示省略）を用いて構成されるいわゆる無線ＬＡＮである。なお、コンピュータ２０と情報表示器３０、あるいは、コンピュータ２０と表示装置４０は、無線ＬＡＮにより通信を行うものに限定されるものではなく、赤外線通信や、他の無線技術により無線通信可能に構成されていてもよい。また、コンピュータ２０と情報表示器３０、あるいは、コンピュータ２０と表示装置４０は、通信ケーブルで接続され、互いの間で有線通信を行うものであってもよい。さらに、ネットワーク９１，９２は、同一の方式でなくてもよく、例えば、ネットワーク９１が無線ＬＡＮで、ネットワーク９２が有線ＬＡＮであってもよい。
【００５２】
コンピュータ２０とラベル検査装置２００とは、ネットワーク９３を介して接続されている。コンピュータ２０と計量ラベル発行装置３００とは、ネットワーク９４を介して接続されている。ネットワーク９３は、コンピュータ２０とラベル検査装置２００との間で送受信される信号の伝送路として機能する。ネットワーク９４は、コンピュータ２０と計量ラベル発行装置３００との間で送受信される信号の伝送路として機能する。ネットワーク９３，９４は、通信ケーブル等を用いて構成されるいわゆる有線ＬＡＮである。なお、コンピュータ２０とラベル検査装置２００とは、無線で接続されてもよい。また、ネットワーク９３，９４は、同一の方式でなくてもよい。
【００５３】
コンピュータ２０と管理サーバ４００とは、ネットワーク９５を介して接続されている。ネットワーク９５は、コンピュータ２０と管理サーバ４００との間で送受信される信号の伝送路として機能する。ネットワーク９５は、いわゆるＷＡＮである。ネットワーク９５は、例えば公衆回線を用いて構築されるインターネットである。
【００５４】
（２）詳細構成
格納棚１０と、情報表示器３０と、計量ラベル発行装置３００と、ＰＯＰラベル貼付支援システム１００と、について更に説明する。
【００５５】
（２−１）格納棚
格納棚１０は、格納部の一例である。格納棚１０は、複数種類のＰＯＰラベルを、それぞれの格納場所Ｐにおいて格納する棚である。なお、格納部は、棚である必要はなく、ＰＯＰラベルの収容空間を有する設備や装置であればよい。
【００５６】
格納棚１０は、ＰＯＰラベルを格納する格納場所Ｐを複数有する。各格納場所Ｐに格納されるＰＯＰラベルの種類は格納棚１０を管理する管理者等により決定されている。各格納場所Ｐには、例えば図４のように、格納場所Ｐの位置を特定する識別符号（Ｐ１１〜Ｐ１４，Ｐ２１〜Ｐ２４，Ｐ３１〜Ｐ３４）が付与されている。後述するコンピュータ２０は、各格納場所Ｐ（各識別符号が付された格納場所Ｐ）に格納されるＰＯＰラベルの種類を記憶している。なお、図４中の格納場所Ｐの数は、例示に過ぎず、格納場所Ｐの数は図４に描画されたものに限定されない。
【００５７】
本実施形態では、各ＰＯＰラベルの表面には各種情報（文字や図形や画像等）が印字され、ＰＯＰラベルの背面（印字面とは反対側の面）には粘着層が設けられている。格納棚１０の各格納場所Ｐには、ＰＯＰラベルが、その背面台紙（剥離紙）に貼り合わされた状態で格納されている。格納棚１０には、１枚のシート状の台紙に１枚のＰＯＰラベル又は複数枚の同一ＰＯＰラベルが貼り合わされたもの、ロール状の台紙に複数枚の同一ＰＯＰラベルが貼り合わされたもの等、様々な態様でＰＯＰラベルが保管される。例えば、図４中の識別符号Ｐ１１〜Ｐ１４が付与された格納場所Ｐには、ロール状の台紙に複数枚の同一ＰＯＰラベルが貼り合わされたものが格納されている。図４中の識別符号Ｐ２１〜Ｐ２４，Ｐ３１〜Ｐ３４が付与された格納場所Ｐには、シート状の台紙に１枚のＰＯＰラベル又は複数枚の同一ＰＯＰラベルが貼り合わされたものが、それぞれの格納場所Ｐに置かれた容器内に格納されている。商品にラベルを貼付する作業者は、商品にＰＯＰラベルを付す際、台紙からＰＯＰラベルを剥がし、剥がしたＰＯＰラベルを商品に貼り付ける。
【００５８】
（２−２）情報表示器
情報表示器３０は、格納棚１０の格納場所Ｐのそれぞれに対応付けて配置される。なお、格納場所Ｐに対応する位置とは、その格納場所Ｐに関する情報を表示するのに適した位置を意味する。例えば、具体的には、格納場所Ｐに対応する位置は、その格納場所Ｐに隣接する位置である。本実施形態では、図４のように、格納場所Ｐのそれぞれの下方に、その格納場所Ｐと対応する情報表示器３０が配置される。
【００５９】
情報表示器３０は、表示部（描画省略）に各種表示を表示可能に構成されている。情報表示器３０は、例えば、待機状態表示と、選択状態表示と、を表示する。情報表示器３０は、待機状態表示として、例えば、その情報表示器３０に対応付けられた格納場所Ｐに格納されているラベルの印字内容をモノクローム表示する。また、情報表示器３０は、選択状態表示として、例えば、待機状態表示の表示色を反転させた画像を表示する。つまり、例えば待機状態表示が白地に黒色で文字を表示させるものであれば、選択状態表示は、黒字に白色で文字を表示させるものである。後述するように、後述するコンピュータ２０の通信部２１が商品の選択を受け付けると、後述するコンピュータ２０の報知部２６は、その商品に対応するラベルの格納場所Ｐに対応する情報表示器３０の表示を、待機状態表示から選択状態表示に切り換える。その結果、選択された商品に対応するラベルの格納場所Ｐが、作業者等に対して報知される。
【００６０】
情報表示器３０の構成については、後述する表示装置４０の構成と同様であるため、ここでは説明を省略する。
【００６１】
（２−３）計量ラベル発行装置
計量ラベル発行装置３００は、ラベル発行装置の一例である。計量ラベル発行装置３００は、商品に貼付するための、少なくとも商品名を印字内容に含む主ラベルを印字し、発行する。計量ラベル発行装置３００は、具体的には、商品の重量を計量し、その商品の名称及び商品ＩＤ（バーコード）、計量された商品の重量、重量から算出される商品の価格を印字内容に含む主ラベルを印字し、発行する。
【００６２】
なお、ここでは、ラベル発行装置の一例として、計量ラベル発行装置３００を挙げたがラベル発行装置は計量ラベル発行装置３００に限定されるものではない。例えば、ラベル発行装置は、計量機能は有さず、商品の名称、商品ＩＤ（バーコード）及び商品の価格を印字内容に含む主ラベルを印字し、印字済みの主ラベルを発行する装置であってもよい。
【００６３】
計量ラベル発行装置３００は、モニタ３１０、操作パネル３２０、計量部３３０、制御ユニット３４０、及びラベル発行部３５０、を有する（図１及び図６参照）。
【００６４】
モニタ３１０は、タッチパネル式の液晶モニタである。モニタ３１０には、計量ラベル発行装置３００の使用者に対する各種情報が表示される。またモニタ３１０は、使用者による各種操作を入力として受け付ける。
【００６５】
操作パネル３２０は、計量ラベル発行装置３００の使用者による各種操作を入力として受け付けるキーである。計量ラベル発行装置３００の使用者は、計量ラベル発行装置３００に、ある種類の商品について、商品を計量させ、その商品に対して主ラベルを印字、発行させる際に、操作パネル３２０から対象商品を選択する。使用者は、主ラベルの印字対象の商品の種類を変更する場合に、再度、操作パネル３２０から対象商品を選択する。なお、操作パネル３２０から商品が（商品の種類が）選択されると、制御ユニット３４０は、図示しない通信インターフェースを制御して、選択された商品を通知する信号を、ネットワーク９４を介してコンピュータ２０へと送信する。
【００６６】
計量部３３０は、商品の重量を測定する電子はかりである。計量部３３０は、計量皿３３０ａ（図６参照）に置かれた商品の重量を計量し、計量値を制御ユニット３４０に送信する。
【００６７】
制御ユニット３４０は、ＣＰＵや、ＲＯＭ、ＲＡＭ等の記憶部を備えたコンピュータである。制御ユニット３４０は、モニタ３１０、操作パネル３２０、計量部３３０、及びラベル発行部３５０と電気的に接続されている。制御ユニット３４０は、ＣＰＵが記憶部に記憶されたプログラムを実行することで、計量ラベル発行装置３００の動作を制御する。
【００６８】
例えば、制御ユニット３４０は、操作パネル３２０から商品が選択されると、その商品に関する各種データ（例えば、商品の重量あたりの単価等）の送信を、ネットワーク９４を介してコンピュータ２０に要求する。コンピュータ２０は、この要求に応じて、計量ラベル発行装置３００に要求された情報を送信する。なお、制御ユニット３４０は、予めコンピュータ２０から提供され記憶部に保存された各種データを、記憶部から読み出してもよい。また、制御ユニット３４０は、商品が計量皿３３０ａに置かれ、商品の重量が計量部３３０により計量されると、コンピュータ２０から送信されてきた商品の重量あたりの単価と、計量部３３０から送信されてくる計量値とに基づいて商品の価格を算出する。そして、制御ユニット３４０は、商品の名称、商品ＩＤ（バーコード）、計量された商品の重量、商品の価格を印字内容に含む印字画像を生成し、この印字画像を印字・発行するよう、ラベル発行部３５０を制御する。
【００６９】
ラベル発行部３５０は、制御ユニット３４０によって制御され、未印字のラベルに、制御ユニット３４０が決定した印字画像を印字し、印字済みのラベル（主ラベル）を発行するプリンタである。
【００７０】
（２−４）ＰＯＰラベル貼付支援システム
ＰＯＰラベル貼付支援システム１００の、表示装置４０と、コンピュータ２０と、ラベル検査装置２００と、管理サーバ４００と、について説明する。
【００７１】
（２−４−１）表示装置
表示装置４０は、ネットワーク９２を介してコンピュータ２０と接続され、コンピュータ２０から送信されてくる情報（図１１に示すようなＰＯＰラベル貼付支援画像等）を、表示部４１に表示する装置である。ＰＯＰラベル貼付支援画像については後述する。
【００７２】
表示装置４０は、作業台８０の近傍に配置されることが好ましい。また、表示装置４０は、格納棚１０の近傍に配置されることが好ましい。例えば、表示装置４０は、格納棚１０及び作業台８０の側方に、格納棚１０及び作業台８０に隣接して配置される（図２参照）。
【００７３】
表示装置４０の構成について、図７を用いて説明する。表示装置４０は、主に、表示部４１と、通信部４２と、記憶部４３と、制御部４４と、を有する。
【００７４】
表示部４１は、例えば、マイクロカプセル方式、電子粉流体方式、液晶方式、エレクトロウェッティング方式、電気泳動方式等の各種方式の電子ペーパである。ただし、表示部４１は、電子ペーパではなくてもよく、例えば液晶ディスプレイであってもよい。
【００７５】
通信部４２は、コンピュータ２０との通信機能を担う機能部である。通信部４２は、無線でコンピュータ２０との通信を行う。通信部４２は、コンピュータ２０と無線通信を行うためのアンテナ、無線通信回路、及びベースバンドＬＳＩを主に含む（図示省略）。
【００７６】
記憶部４３は、ＲＡＭ、ＲＯＭ等のメモリで構成されている。記憶部４３には、各種情報が記憶されている。例えば、記憶部４３には、制御部４４が実行するプログラム、及び、プログラムの実行に必要なデータが格納されている。また、記憶部４３には、例えば、コンピュータ２０から受信したＰＯＰラベル貼付支援画像の画像データが格納される。
【００７７】
制御部４４は、主にＣＰＵを有する。制御部４４は、記憶部４３に記憶されているプログラムを実行し、表示装置４０の動作を制御する。例えば、制御部４４は、コンピュータ２０の送信してきたＰＯＰラベル貼付支援画像等の画像データを通信部４２が受信すると、受信した画像データを記憶部４３に記憶すると共に、この画像データが表示されるよう、表示部４１の表示を制御する。
【００７８】
なお、表示装置４０は、内蔵のバッテリーを電源として動作するものであっても、外部から電気の供給を受けるものであってもよい。
【００７９】
（２−４−２）コンピュータ
コンピュータ２０は、商品に関する各種情報を記憶・管理する装置である。
【００８０】
コンピュータ２０に記憶される商品に関する各種情報には、商品別ＰＯＰラベル情報を含む。商品別ＰＯＰラベル情報は、商品を特定する商品情報と、その商品に対応する、商品へのＰＯＰラベルの貼付に関するＰＯＰラベル情報と、を関連付けた情報である。
【００８１】
コンピュータ２０は、制御部２５の機能部としての報知部２６を有する。報知部２６は、後述するように、通信部２１を介してＰＯＰラベルの貼付対象の商品が（商品の種類が）選択されると、商品別ＰＯＰラベル情報に基づき、選択された商品に対応するＰＯＰラベル情報を報知する。
【００８２】
コンピュータ２０は、前述のように、作業場Ｂ１，Ｂ２，・・・Ｂｎにそれぞれ設置される。各コンピュータ２０は、通信部２１と、入力部２２と、出力部２３と、記憶部２４と、制御部２５と、を主に有する（図８参照）。
【００８３】
（２−４−２−１）通信部
通信部２１は、情報表示器３０、計量ラベル発行装置３００、表示装置４０、及びラベル検査装置２００、管理サーバ４００と通信を行うための通信回路を主に含む（図示省略）。通信部２１は、ネットワーク９１を介して情報表示器３０と通信を行う。また、通信部２１は、ネットワーク９２を介して表示装置４０と通信を行う。また、通信部２１は、ネットワーク９３を介してラベル検査装置２００と通信を行う。また、通信部２１は、ネットワーク９４を介して計量ラベル発行装置３００と通信を行う。また、通信部２１は、ネットワーク９５を介して管理サーバ４００と通信を行う。
【００８４】
前述のように、計量ラベル発行装置３００では、主ラベルの発行対象の商品が変更された時に、操作パネル３２０から商品が選択され、選択された商品を通知する信号がコンピュータ２０へと送信される。通信部２１は、この計量ラベル発行装置３００から送信されてきた信号（商品の選択）を受け付ける。
【００８５】
（２−４−２−２）入力部
入力部２２は、コンピュータ２０に記憶されている情報を管理する情報管理者や、商品にラベルを貼付する作業者が、コンピュータ２０に対して各種情報や指示等を与える際に用いる装置である。入力部２２には、例えば、キーボード、マウス、及びハンディスキャナを含む。
【００８６】
入力部２２は、受付部の一例である。入力部２２は、対応する記憶部２４（つまり、入力部２２を有するコンピュータ２０の記憶部２４）に記憶されている情報（商品別ＰＯＰラベル情報を含む）の更新を受け付ける。情報を管理する情報管理者等は、記憶部２４に記憶されている情報について、内容の追加や、更新や、削除を行う場合に、入力部２２の一例であるキーボードやマウス等を用いてこれらの作業を行う。
【００８７】
本ＰＯＰラベル貼付支援システム１００では、上述のように、通信部２１が計量ラベル発行装置３００から送信されてくる商品の選択を受け付けることで、商品の選択が行われる。しかし、これに限定されるものではなく、例えば、商品にラベルを貼り付ける作業者は、主ラベルの貼付は不要であるが、ＰＯＰラベルの貼付は必要な商品に対してＰＯＰラベルの貼付を行う際等に、入力部２２から商品を選択してもよい。例えば、作業者は、入力部２２の一例のハンディスキャナにＰＯＰラベルの貼付対象の商品に付されたバーコード（図示省略）読み取らせることで、ＰＯＰラベルの貼付対象の商品を選択する。
【００８８】
（２−４−２−３）出力部
出力部２３は、コンピュータ２０の操作者に対して情報を提示する装置である。出力部２３は、例えば、液晶ディスプレイを含む。
【００８９】
（２−４−２−４）記憶部
記憶部２４は、主に、ＲＡＭ、ＲＯＭや、ハードディスクドライブ等の補助記憶装置を有する。記憶部２４は、各種情報を記憶する。
【００９０】
例えば、記憶部２４には、制御部２５が各種処理を行うために実行するプログラムや、他の機器との通信に使用される通信プロトコルが定義されたプログラム等が格納されている。
【００９１】
また、記憶部２４は、各種情報を記憶する複数の記憶領域を有する。複数の記憶領域には、ラベル別格納情報記憶領域２４ａと、商品別ＰＯＰラベル情報記憶領域２４ｂと、表示器設置位置情報記憶領域２４ｃと、商品マスタ記憶領域２４ｄとを含む（図８参照）。
【００９２】
（２−４−２−４−１）ラベル別格納情報記憶領域
ラベル別格納情報記憶領域２４ａには、ラベル別格納情報が記憶される。ラベル別格納情報は、少なくともラベルを特定するラベル情報（例えば、ラベル名）と、そのラベルの格納棚１０における格納場所Ｐの情報（ラベルが格納された格納場所Ｐの識別符号）と、そのラベルの印字内容と、が関連付けられた情報である（図９参照）。
【００９３】
例えば、ラベル別格納情報記憶領域２４ａには、各ラベルについて、ラベルＮｏと、ラベル名と、ラベルの印字内容と、そのラベルの格納棚１０における格納場所Ｐの情報と、が関連付けて記憶される（図９参照）。ラベルの印字内容は、例えば印字内容の文字情報である。ただし、これに限定されるものではなく、ラベルの印字内容は、例えば印字内容の画像情報であってもよい。
【００９４】
コンピュータ２０に記憶されている情報を管理する情報管理者等は、あるラベルの格納場所Ｐが変更になった場合や、ある格納場所Ｐに新たなラベルが格納されることになった場合等に、入力部２２を用いてラベル別格納情報記憶領域２４ａの記憶内容を更新する。なお、情報管理者によるラベル別格納情報記憶領域２４ａの記憶内容の更新方法は、一例に過ぎず、情報管理者は、例えば、通信部２１と通信可能な携帯端末を用いて、ラベル別格納情報記憶領域２４ａの記憶内容を更新してもよい。
【００９５】
（２−４−２−４−２）商品別ＰＯＰラベル情報記憶領域
商品別ＰＯＰラベル情報記憶領域２４ｂには、商品別ＰＯＰラベル情報が記憶される。商品別ＰＯＰラベル情報は、少なくとも、商品を特定する商品情報と、その商品に対応する商品へのＰＯＰラベルの貼付に関するＰＯＰラベル情報と、が関連付けられた情報である（図１０参照）。
【００９６】
商品を特定する商品情報は、例えば、商品の種類別の商品ＩＤ（例えば、商品に付されたＪＡＮコード等）である。ただし、商品を特定する商品情報は、商品ＩＤに限定されるものではなく、商品名等、商品を特定可能な情報であればよい。
【００９７】
商品へのＰＯＰラベルの貼付に関するＰＯＰラベル情報は、例えば、ＰＯＰラベル特定情報、貼付位置情報、貼付姿勢情報、基準サンプル画像Ｇ、格納位置情報を含む。
【００９８】
ＰＯＰラベル特定情報は、商品に貼付されるＰＯＰラベルを特定する情報である。つまり、ＰＯＰラベル特定情報は、商品にどのＰＯＰラベルを貼付するのかを特定する情報である。ＰＯＰラベル特定情報は、例えばラベル名や、ラベルの画像情報等である。ただし、ＰＯＰラベル特定情報は、これらに限定されるものではなく、ＰＯＰラベルの種類を特定可能な情報であればよい。
【００９９】
貼付位置情報は、商品に貼付されるＰＯＰラベルの貼付位置を特定する情報である。つまり、貼付位置情報は、商品のどこにＰＯＰラベルを貼付するのかを特定する情報である。貼付位置情報は、例えば、“右下”、“左上"、"中央"等の文字情報や、貼付位置を模式的に示した画像情報等である。ただし、貼付位置情報は、これらに限定されるものではなく、商品へのＰＯＰラベルの貼付位置を特定可能な情報であればよい。
【０１００】
貼付姿勢情報は、商品に貼付されるＰＯＰラベルの貼付姿勢を特定する情報である。つまり、貼付姿勢情報は、商品にどのような姿勢でＰＯＰラベルを貼付するのかを特定する情報である。貼付姿勢情報は、例えば、“通常”、“反時計４５°"等の文字情報や、貼付姿勢を模式的に示した画像情報等である。なお、ここで“通常”とは、ＰＯＰラベルが所定の姿勢（角度）で商品に貼付されることを意味している。“反時計４５°"とは、ＰＯＰラベルが所定の姿勢から反時計方向に４５°傾けた状態で商品に貼付されることを意味している。なお、貼付姿勢情報は、“通常”、“反時計４５°"等の文字情報や、貼付姿勢を模式的に示した画像情報に限定されるものではなく、商品へのＰＯＰラベルの貼付姿勢を特定可能な情報であればよい。
【０１０１】
基準サンプル画像Ｇは、ＰＯＰラベルが適切に貼付された状態の商品の画像情報（図１１参照）である。ＰＯＰラベルが適切に貼付された状態とは、商品に、規定された種類のＰＯＰラベルが、規定された貼付位置に、規定された貼付姿勢で貼付されている状態を意味する。基準サンプル画像Ｇは、商品へのＰＯＰラベルの貼付け見本となる画像である。
【０１０２】
格納位置情報は、商品に貼付されるＰＯＰラベルが格納されている格納場所Ｐの情報である。格納位置情報は、例えば、商品に貼付されるＰＯＰラベルの格納された格納棚１０における格納場所Ｐの識別符号（Ｐ１１〜Ｐ１４，Ｐ２１〜Ｐ２４，Ｐ３１〜Ｐ３４）である。ただし、格納位置情報は、これに限定されるものではなく、商品に貼付されるＰＯＰラベルの格納棚１０における格納場所Ｐを特定可能な情報であればよい。
【０１０３】
なお、ＰＯＰラベル情報は、ここで列挙した情報を全て含む必要はなく、いずれの情報を含めるかは適宜決定されればよい。
【０１０４】
例えば、特にＰＯＰラベルの貼付姿勢を変更して貼付することがない場合には、貼付姿勢情報はＰＯＰラベル情報に含まれなくてもよい。また、例えば、特にＰＯＰラベルの種類が少なく、ＰＯＰラベルの格納場所の特定が容易であるような場合には、格納位置情報はＰＯＰラベル情報に含まれなくてもよい。また、例えば、特にＰＯＰラベルの貼付位置を変更して貼付することがない場合には、貼付位置情報はＰＯＰラベル情報に含まれなくてもよい。また、例えば、特にＰＯＰラベルが１種類だけであるような場合には、ＰＯＰラベル特定情報や格納位置情報はＰＯＰラベル情報に含まれなくてもよい。
【０１０５】
また、ＰＯＰラベル情報は、ここで列挙した情報に限定されるものではなく、ここで列挙した情報に加えて、又は、ここで列挙した情報に代えて、他の情報を含むものであってもよい。例えば、他の情報は、商品が販促イベントの実施中の商品である旨の情報である。表示装置４０の表示部４１等に販促イベントの実施中の商品である旨を、ＰＯＰラベル情報の１つとして報知することで、作業者は、商品の陳列場所でのディスプレイ方法の選択等に、この情報を活用できる。
【０１０６】
商品別ＰＯＰラベル情報記憶領域２４ｂには、例えば、商品別に、商品ＩＤ及び商品名と、その商品に対応する、商品へのＰＯＰラベルの貼付に関するＰＯＰラベル情報の一例としての、ラベル名、格納場所Ｐの識別符号、貼付位置の文字情報、貼付姿勢の文字情報、及び基準サンプル画像Ｇと、が関連付けて記憶される（図１０参照）。
【０１０７】
なお、図１０は、商品別ＰＯＰラベル情報記憶領域２４ｂに記憶される情報の一例にすぎない。商品別ＰＯＰラベル情報記憶領域２４ｂには、更に、その他の商品に関する各種情報が、商品を特定する商品情報と関連付けて記憶されてもよい。
【０１０８】
商品別ＰＯＰラベル情報記憶領域２４ｂに記憶される商品別ＰＯＰラベル情報は、後述する管理サーバ４００から更新可能に構成されている。管理サーバ４００は、複数のコンピュータ２０の記憶部２４を管理する（記憶部２４に記憶される商品別ＰＯＰラベル情報等を管理する）、コンピュータ２０の上位側のコンピュータである。
【０１０９】
例えば、管理サーバ４００は、全てのコンピュータ２０の記憶部２４の商品別ＰＯＰラベル情報記憶領域２４ｂに記憶された商品別ＰＯＰラベル情報を一括更新可能である。管理サーバ４００が、全てのコンピュータ２０の記憶部２４の商品別ＰＯＰラベル情報を一括更新することで、商品へのＰＯＰラベルの貼付を全作業場Ｂ１，Ｂ２，・・・Ｂｎで統括管理できる。
【０１１０】
また、管理サーバ４００は、例えば、ある地域の作業場のコンピュータ２０（一部のコンピュータ２０の）の記憶部２４の商品別ＰＯＰラベル情報記憶領域２４ｂに記憶された商品別ＰＯＰラベル情報を更新することで、ある地域の作業場における商品へのＰＯＰラベルの貼付を統括管理できる。
【０１１１】
また、コンピュータ２０に記憶されている情報を管理する情報管理者等は、例えば、そのコンピュータ２０が設置された作業場でだけ、新たな商品が取り扱われる事になった場合や、ある商品に付すラベルが変更となった場合等に、入力部２２を用いて商品別ＰＯＰラベル情報を更新する。なお、商品別ＰＯＰラベル情報の更新方法は一例に過ぎず、情報管理者等は、例えば、通信部２１と通信可能な携帯端末を用いて、商品別ＰＯＰラベル情報を更新してもよい。
【０１１２】
なお、商品別ＰＯＰラベル情報記憶領域２４ｂにおいて、ラベルの格納場所Ｐの情報は、情報管理者等が直接変更する必要がないことが好ましい。例えば、商品別ＰＯＰラベル情報記憶領域２４ｂにおいて、ある商品（商品Ｘと呼ぶ）に付すラベルの追加や変更が行われると、商品Ｘに関するラベルの格納場所Ｐの情報は、ラベル別格納情報記憶領域２４ａに記憶された情報に基づいて自動で更新されることが好ましい。また、ラベル別格納情報記憶領域２４ａの記憶内容が更新された場合、これに連動して、商品別ＰＯＰラベル情報記憶領域２４ｂ内のラベルの格納場所Ｐの情報が自動的に更新されることが好ましい。
【０１１３】
（２−４−２−４−３）表示器設置位置情報記憶領域
表示器設置位置情報記憶領域２４ｃには、表示器設置位置情報が記憶されている。表示器設置位置情報は、複数の情報表示器３０のそれぞれに割り当てられた表示器ＩＤと、その情報表示器３０の設置位置情報と、が関連付けられた情報である。ここでは、情報表示器３０の設置位置情報は、その情報表示器３０と対応付けられている格納棚１０の格納場所Ｐの位置情報（格納場所Ｐの識別符号）である。
【０１１４】
（２−４−２−４−４）商品マスタ記憶領域
商品マスタ記憶領域２４ｄには、商品に関する各種情報を記憶する。商品マスタ記憶領域には、商品別（商品ＩＤ別）に、商品名、商品の単価、在庫情報等の、商品に関する各種情報が関連付けられて記憶されている。
【０１１５】
計量ラベル発行装置３００において主ラベルが印字される時に、計量ラベル発行装置３００からコンピュータ２０に対してある商品に対する情報の送信が要求されると、コンピュータ２０は、商品マスタ記憶領域２４ｄを参照する。そして、コンピュータ２０は、商品マスタ記憶領域２４ｄから読み出した計量ラベル発行装置３００が要求する情報を、計量ラベル発行装置３００に対して送信する。
【０１１６】
（２−４−２−５）制御部
制御部２５は、主にＣＰＵを有する。制御部２５は、記憶部２４に記憶されているプログラムを実行することで、ＰＯＰラベル貼付支援システム１００やラベル提供システム１０００を制御する。制御部２５は、例えば、ネットワーク９１，９２を介して接続されている情報表示器３０及び表示装置４０の表示を制御する。また、制御部２５は、例えば、計量ラベル発行装置３００から、情報の送信要求があると、ネットワーク９４を介して送信を要求された情報を計量ラベル発行装置３００へと送信する。
【０１１７】
制御部２５は、商品が選択されていない時（待機状態時）に、情報表示器３０に、その情報表示器３０に対応付けられた格納棚１０の格納場所Ｐに格納されているラベルの印字内容を表示させる。待機状態時に情報表示器３０が表示部（描画省略）に表示する表示を、待機状態表示と呼ぶ。
【０１１８】
具体的には、制御部２５は、以下の様に、情報表示器３０の表示部に待機状態表示を表示させる。ここでは、ラベル別格納情報記憶領域２４ａに、新たなラベルＲ３が追加され、ラベルＲ３の印字内容“特売"や、ラベルＲ３の格納場所Ｐの識別符号Ｐ３１が、ラベル名に関連付けて登録されたと仮定して、制御部２５の動作を説明する。
【０１１９】
制御部２５は、ラベル別格納情報記憶領域２４ａを参照し、新たに追加されたラベルＲ３の印字内容（ここでは“特売"という文字情報）を取得し、その印字内容の画像データを生成する。また、制御部２５は、ラベル別格納情報記憶領域２４ａを参照し、新たに追加されたラベルＲ３の格納場所Ｐの識別符号Ｐ３１を取得する。次に、制御部２５は、表示器設置位置情報記憶領域２４ｃを参照し、取得したラベルＲ３の格納場所Ｐの識別符号と対応付けられている情報表示器３０の表示器ＩＤを取得する。そして、制御部２５は、取得した表示器ＩＤを有する情報表示器３０に、ネットワーク９１を介して、生成したラベルＲ３の印字内容の画像データを送信する。
【０１２０】
画像データを受信した情報表示器３０（つまり情報の送信先の表示器ＩＤを有する情報表示器３０）の制御部（図示省略）は、コンピュータ２０の送信してきた待機状態表示の画像データを受信すると、受信した画像データを記憶部（図示省略）に記憶すると共に、表示部（描画省略）に待機状態表示を表示させる。情報表示器３０は、コンピュータ２０から表示部の表示の変更指示を受け付けるまで（次に画像データが送信されてくるまで）、表示部の表示内容を維持する。
【０１２１】
また、制御部２５は、通信部２１が計量ラベル発行装置３００から商品の選択を受け付けると、あるいは、入力部２２が商品の選択を受け付けると、機能部としての報知部２６が、記憶部２４の商品別ＰＯＰラベル情報記憶領域２４ｂに記憶された商品別ＰＯＰラベル情報に基づき、選択された商品に対応するＰＯＰラベル情報を報知する。具体的には、報知部２６は、商品が選択されると、情報表示器３０及び表示装置４０の表示を制御し、選択された商品に対応するＰＯＰラベル情報を報知する。
【０１２２】
具体的には、報知部２６は、商品が選択されると、選択された商品に対応するラベルの格納場所Ｐに対応する情報表示器３０の表示を、待機状態表示から選択状態表示に切り換えて、選択された商品に対応するＰＯＰラベルが格納されている格納場所Ｐの情報を報知する。選択状態表示は、モノクロームの待機状態表示の表示色を反転（白と黒とを反転）させた表示である。
【０１２３】
報知部２６は、以下の様にして、情報表示器３０の表示部（描画省略）の表示を、待機状態表示から選択状態表示に切り換える。
【０１２４】
報知部２６は、通信部２１が計量ラベル発行装置３００から商品の選択を通知する信号を受け付けると、あるいは、商品に付されたバーコードを読み取った入力部２２のハンディスキャナから制御部２５に信号が入力されると、その信号を解読し、商品の商品ＩＤを特定する。次に、報知部２６は、関連付けられた記憶部２４（つまり報知部２６を有するコンピュータ２０の記憶部２４）の商品別ＰＯＰラベル情報記憶領域２４ｂの商品別ＰＯＰラベル情報を参照して、特定した商品ＩＤと関連付けられたラベルの格納場所Ｐの識別符号を取得する。次に、報知部２６は、ラベル別格納情報記憶領域２４ａを参照し、取得したラベルの格納場所Ｐの識別符号と対応付けられた印字内容を取得し、その印字内容の画像データを生成する。この際、報知部２６は、待機状態表示とは表示色を反転させた印字内容の画像データを生成する。また、報知部２６は、表示器設置位置情報記憶領域２４ｃを参照し、取得したラベルの格納場所Ｐの識別符号と対応付けられている情報表示器３０の表示器ＩＤを取得する。そして、報知部２６は、取得した表示器ＩＤを有する情報表示器３０に、ネットワーク９１を介して、生成した選択状態表示の画像データを送信する。
【０１２５】
画像データを受信した情報表示器３０（つまり情報の送信先の表示器ＩＤを有する情報表示器３０）の制御部（図示省略）は、コンピュータ２０の送信してきた選択状態表示の画像データを受信すると、受信した画像データを記憶部（図示省略）に記憶すると共に、表示部（描画省略）に選択状態表示を表示させる（待機状態表示から選択状態表示に表示を切り換える）。情報表示器３０は、コンピュータ２０から表示部の表示の変更指示を受け付けるまで（次に画像データが送信されてくるまで）、表示部の表示内容を維持する。
【０１２６】
なお、商品が選択された時に、選択された商品に対応するラベルの格納場所Ｐ以外と対応付けられた情報表示器３０に選択状態表示が表示されている場合には、制御部２５は、この情報表示器３０に待機状態表示の画像データを送信し、この情報表示器３０の表示を選択状態表示から待機状態表示に切り換える。また、制御部２５は、情報表示器３０の表示を選択状態表示に切り換えた後、所定時間（例えば１時間）が経過した後に、商品の選択の有無に関わらず、その情報表示器３０に待機状態表示の画像データを送信し、情報表示器３０の選択状態を選択状態表示から待機状態表示に切り換えてもよい。
【０１２７】
また、報知部２６は、商品が選択されると、ＰＯＰラベル貼付支援画像（図１１参照）を表示装置４０の表示部４１に表示させる。
【０１２８】
ＰＯＰラベル貼付支援画像は、選択された商品に対応するＰＯＰラベル情報の少なくとも一部を表示内容に含む画像である。例えば、ＰＯＰラベル貼付支援画像には、選択された商品の商品ＩＤ、商品名、その商品に対応する、ＰＯＰラベル特定情報（対応ラベル名）、貼付位置情報（ＰＯＰラベルの貼付位置の文字情報）、貼付姿勢情報（ＰＯＰラベルの貼付姿勢の文字情報）、基準サンプル画像Ｇ、格納位置情報（ＰＯＰラベルの格納場所Ｐの識別番号の文字情報）が含まれる（図１１参照）。なお、ここでは表示装置４０は１台であるが、表示装置４０を複数設け、各表示装置４０の表示部４１に、異なる（異なるＰＯＰラベル情報を含む）ＰＯＰラベル貼付支援画像を表示させてもよい。
【０１２９】
具体的には、報知部２６は、通信部２１が計量ラベル発行装置３００から商品の選択を通知する信号を受け付けると、あるいは、商品に付されたバーコードを読み取った入力部２２のハンディスキャナから制御部２５に信号が入力されると、その信号を解読して、商品の商品ＩＤを特定する。次に、報知部２６は、商品別ＰＯＰラベル情報記憶領域２４ｂの商品別ＰＯＰラベル情報を参照し、特定した商品ＩＤと関連付けられたＰＯＰラベル情報に基づいて、上記のようなＰＯＰラベル貼付支援画像の画像データを生成する。そして、報知部２６は、ネットワーク９２を介して、表示装置４０に生成したＰＯＰラベル貼付支援画像の画像データを送信し、ＰＯＰラベル情報の報知として、表示装置４０の表示部４１にＰＯＰラベル貼付支援画像を表示させる。
【０１３０】
画像データを受信した表示装置４０の制御部４４は、コンピュータ２０の送信してきたＰＯＰラベル貼付支援画像の画像データを通信部４２が受信すると、受信した画像データを記憶部４３に記憶すると共に、表示部４１にＰＯＰラベル貼付支援画像を表示させる。そして表示装置４０は、例えば、コンピュータ２０から表示部４１の表示の変更指示を受け付けるまで（次に画像データが送信されてくるまで）、あるいは、所定時間（例えば１時間）が経過するまで、表示部４１の表示内容を維持する。
【０１３１】
（２−４−３）ラベル検査装置
ラベル検査装置２００は、作業員が主ラベル及びＰＯＰラベルを貼付した後の商品の画像（商品画像）を撮像し、商品画像及び商品別ＰＯＰラベル情報に基づいて、主ラベル及びＰＯＰラベルの商品への貼付の適否を判定する装置である。なお、ラベル検査装置２００は、主ラベルの商品への貼付の適否は判定しないように構成されてもよい。
【０１３２】
ラベル検査装置２００は、撮像部としてのカメラ２１０と、貼付適否判定部としての検査用コンピュータ２２０と、を主に有する（図１参照）。
【０１３３】
カメラ２１０は、ラベル貼付後の商品が撮像場所２００ａ（図２参照）の所定位置に戴置され、操作部（図示省略）から所定の操作が行われると、撮像場所２００ａに置かれた商品の画像を撮像する。
【０１３４】
検査用コンピュータ２２０は、一般的なコンピュータであり、記憶部（図示省略）に記憶されているラベル検査プログラムを実行することで、主ラベル及びＰＯＰラベルの商品への貼付の適否を判定する。
【０１３５】
検査時に、検査用コンピュータ２２０は、商品の（商品の種類の）選択の入力を受け付ける。商品の種類の選択の入力は図示しない入力部から行われても、図示しない通信部を介して受け付けてもよい。検査用コンピュータ２２０は、商品の選択の入力を受け付けると、コンピュータ２０に対して、選択された商品と関連付けられたＰＯＰラベル情報の少なくとも一部の送信を要求する。
【０１３６】
例えば、検査用コンピュータ２２０は、選択された商品と関連付けられたＰＯＰラベル情報の基準サンプル画像Ｇの送信を要求し、基準サンプル画像Ｇを受信する。そして、検査用コンピュータ２２０は、基準サンプル画像Ｇ内のラベル貼付位置の画像と、商品画像内の対応する位置の画像との差分画像を生成し、差分画像に基づいて、ＰＯＰラベルの商品への貼付の適否を判定する。検査用コンピュータ２２０は、基準サンプル画像Ｇ内のラベル貼付位置の画像と商品画像内の対応する位置の画像とが概ね一致する場合、主ラベル及び／又はＰＯＰラベルの商品への貼付は適切と判断する。一方、基準サンプル画像Ｇ内のラベル貼付位置の画像と商品画像内の対応する位置の画像とが相違する場合、検査用コンピュータ２２０は、主ラベル及び／又はＰＯＰラベルの商品への貼付は不適切と判断する。
【０１３７】
また、例えば、検査用コンピュータ２２０は、選択された商品と関連付けられたＰＯＰラベル情報に含まれるＰＯＰラベルの貼付位置の座標情報（図示省略）の送信を要求し、この座標情報を受信してもよい。そして、検査用コンピュータ２２０は、商品画像中のＰＯＰラベル情報に含まれるＰＯＰラベルの貼付位置の座標情報で特定される位置にＰＯＰラベルが存在するかを判定することで、ＰＯＰラベルの商品への貼付の適否を判定してもよい。
【０１３８】
なお、ラベル検査の結果は、ラベル検査装置の図示しない表示部に表示される。ラベル検査の結果は、コンピュータ２０へと送信され、コンピュータ２０の出力部２３や、表示装置４０の表示部４１等に表示されてもよい。
【０１３９】
（２−４−４）管理サーバ
管理サーバ４００は、複数のコンピュータ２０を管理する上位側のコンピュータである。管理サーバ４００は、複数のコンピュータ２０の記憶部２４を管理する記憶部管理部の一例である。
【０１４０】
管理サーバ４００は、一般的なコンピュータと同様の構成であるので、詳細な説明は省略する。
【０１４１】
管理サーバ４００には、コンピュータ２０の記憶部２４の商品別ＰＯＰラベル情報記憶領域２４ｂや商品マスタ記憶領域２４ｄに記憶されている情報の元となるデータを記憶部（図示せず）に保有している。管理サーバ４００は、複数のコンピュータ２０の記憶部２４の全部又は一部について、記憶部２４に記憶された商品別ＰＯＰラベル情報を更新可能に構成されている。
【０１４２】
（３）特徴
ＰＯＰラベル貼付支援システム１００及びラベル提供システム１０００は、以下の特徴を有する。
【０１４３】
（３−１）
ＰＯＰラベル貼付支援システム１００は、記憶部２４と、報知部２６と、を備える。記憶部２４は、商品を特定する商品情報と、その商品に対応する、商品へのＰＯＰラベルの貼付に関するＰＯＰラベル情報とを関連付けて商品別ＰＯＰラベル情報として記憶する。報知部２６は、商品が選択されると、商品別ＰＯＰラベル情報に基づき、選択された商品に対応するＰＯＰラベル情報を報知する。
【０１４４】
ＰＯＰラベル貼付支援システム１００では、商品が選択されると、その商品に対応する、商品へのＰＯＰラベルの貼付に関する情報（ＰＯＰラベル情報）が報知される。そのため、商品に、適切に（規定に則って）、効率よくＰＯＰラベルを貼付することができる。
【０１４５】
（３−２）
ＰＯＰラベル貼付支援システム１００では、ＰＯＰラベル情報には、商品に貼付されるＰＯＰラベルを特定するＰＯＰラベル特定情報を含む。
【０１４６】
ＰＯＰラベル貼付支援システム１００では、商品が選択されると、その商品に貼付するＰＯＰラベルが報知されるので、商品に誤ったＰＯＰラベルが貼付されたり、ＰＯＰラベルの貼り忘れが発生したりすることを防止できる。
【０１４７】
（３−３）
ＰＯＰラベル貼付支援システム１００では、ＰＯＰラベル情報には、商品に貼付されるＰＯＰラベルの貼付位置を特定する貼付位置情報を含む。
【０１４８】
ＰＯＰラベル貼付支援システム１００では、商品が選択されると、その商品にＰＯＰラベルを貼付する位置が報知されるので、商品に、適切に（規定に則って）、効率よくＰＯＰラベルを貼付することができる。
【０１４９】
（３−４）
ＰＯＰラベル貼付支援システム１００では、ＰＯＰラベル情報には、商品に貼付されるＰＯＰラベルの貼付姿勢を特定する貼付姿勢情報を含む。
【０１５０】
ＰＯＰラベル貼付支援システム１００では、商品が選択されると、その商品にＰＯＰラベルを貼付する姿勢が報知されるので、商品に、適切に（規定に則って）、効率よくＰＯＰラベルを貼付することができる。
【０１５１】
（３−５）
ＰＯＰラベル貼付支援システム１００は、表示部４１（表示装置４０の表示部４１）を備える。ＰＯＰラベル情報には、ＰＯＰラベルが適切に貼付された状態の商品の画像情報（基準サンプル画像Ｇ）を含む。報知部２６は、ＰＯＰラベル情報の報知として、表示部４１に少なくとも基準サンプル画像Ｇを表示させる。
【０１５２】
ＰＯＰラベル貼付支援システム１００では、ＰＯＰラベル情報の報知として、ＰＯＰラベルが適切に貼付された状態の商品の画像（基準サンプル画像Ｇ）が表示部４１に表示される。そのため、商品へのＰＯＰラベルの貼付に携わる作業者は、商品に、どのＰＯＰラベルをどの様に貼付すればよいかを瞬時に把握できる。また、基準サンプル画像Ｇの表示は、文字情報のみで報知する場合とは異なり、商品が販売される国の言語に堪能ではない外国人作業者等であっても、容易にどのＰＯＰラベルをどの様に貼付すればよいかを把握できる。
【０１５３】
（３−６）
ＰＯＰラベル貼付支援システム１００は、撮像部の一例としてのカメラ２１０と、貼付適否判定部の一例としての検査用コンピュータ２２０と、を備える。カメラ２１０は、ＰＯＰラベルを貼付後の商品の商品画像を撮像する。検査用コンピュータ２２０は、商品画像及び商品別ＰＯＰラベル情報に基づいて、ＰＯＰラベルの商品への貼付の適否を判定する。
【０１５４】
ＰＯＰラベル貼付支援システム１００では、ＰＯＰラベル情報を報知するのに加え、ＰＯＰラベルの商品への貼付の適否が判定されるため、仮に商品に誤った態様でＰＯＰラベルが貼付されたとしても、これを発見することができる。
【０１５５】
（３−７）
ＰＯＰラベル貼付支援システム１００は、記憶部２４及び報知部２６、を複数備える。言い換えれば、ＰＯＰラベル貼付支援システム１００は、記憶部２４及び報知部２６を有するコンピュータ２０を複数備える。また、ＰＯＰラベル貼付支援システム１００は、複数の記憶部２４を管理する管理サーバ４００を備える。管理サーバ４００は、記憶部管理部の一例である。報知部２６のそれぞれは、記憶部２４のいずれかと関連付けられる。報知部２６のそれぞれは、商品が選択されると、その報知部２６と関連付けられた記憶部２４に記憶された商品別ＰＯＰラベル情報に基づき、選択された商品に対応するＰＯＰラベル情報を報知する。つまり、各コンピュータ２０の報知部２６は、そのコンピュータ２０の記憶部２４と関連付けられ、商品が選択されると、その報知部２６と関連付けられた記憶部２４に記憶された商品別ＰＯＰラベル情報に基づき、選択された商品に対応するＰＯＰラベル情報を報知する。管理サーバ４００は、記憶部２４の全部又は一部について、記憶部２４に記憶された商品別ＰＯＰラベル情報を更新する。
【０１５６】
ＰＯＰラベル貼付支援システム１００では、上位側の管理サーバ４００で下位側のコンピュータ２０の記憶部２４の商品別ＰＯＰラベル情報を更新できる。そのため、商品に対するＰＯＰラベルの貼付が行われる拠点が複数ある場合にも、商品に対するＰＯＰラベルの規定を集中管理することができる。
【０１５７】
（３−８）
ＰＯＰラベル貼付支援システム１００は、記憶部２４のそれぞれに対応して設けられ、対応する記憶部２４に記憶されている商品別ＰＯＰラベル情報の更新を受け付ける入力部２２を有する。入力部２２は、受付部の一例である。
【０１５８】
ＰＯＰラベル貼付支援システム１００では、下位側（各記憶部２４）で商品別ＰＯＰラベル情報を個別に更新できる。そのため、他の拠点とは独立して商品に対するＰＯＰラベルの規定を決定する場合にも、この規定を記憶部２４に反映し、これを商品が選択された時に報知することができる。
【０１５９】
なお、受付部は、入力部２２に限定されるものではなく、例えば携帯端末等から、記憶部２４に記憶されている商品別ＰＯＰラベル情報の更新を受け付ける通信部２１であってもよい。
【０１６０】
（３−９）
ラベル提供システム１０００は、ＰＯＰラベル貼付支援システム１００と、ラベル発行装置の一例としての計量ラベル発行装置３００と、格納部の一例としての格納棚１０と、を備える。計量ラベル発行装置３００は、少なくとも商品名を印字内容に含む主ラベルを印字して発行する。格納棚１０は、複数のＰＯＰラベルをそれぞれの格納場所Ｐにおいて格納する。ＰＯＰラベル情報には、ＰＯＰラベルが格納されている格納場所Ｐの情報を含む。
【０１６１】
ラベル提供システム１０００では、商品が選択されると、その商品に対応するＰＯＰラベルの商品への貼付に関する情報が報知されるので、商品に適切かつ効率よくＰＯＰラベルを貼付することができる。特に、本ラベル提供システム１０００では、商品が選択されると、その商品に関するＰＯＰラベルの格納棚１０における格納場所Ｐが報知されるため、商品に誤ったＰＯＰラベルが貼付されることや、ＰＯＰラベルの貼り忘れを防止できる。また、商品へのＰＯＰラベル貼付を行う作業者は、格納棚１０から商品に貼付するＰＯＰラベルを迅速に見つけ出すことができる。
【０１６２】
（４）変形例
上記実施形態のＰＯＰラベル貼付支援システム１００、及びＰＯＰラベル貼付支援システム１００を備えたラベル提供システム１０００の変形例を以下に示す。なお、各変形例は、互いに矛盾が生じない範囲で他の変形例と組み合わせて適用されてもよい。
【０１６３】
（４−１）変形例１Ａ
上記実施形態では、ＰＯＰラベル貼付支援システム１００は計量ラベル発行装置３００と共に利用されるが、これに限定されるものではない。
【０１６４】
例えば、ＰＯＰラベルの貼付が、主ラベルの貼付とは独立した作業である場合や、商品に主ラベルが貼付されないような場合には、ＰＯＰラベル貼付支援システム１００は独立して利用されてもよい。
【０１６５】
（４−２）変形例１Ｂ
ラベル提供システム１０００において、情報表示器３０に代えて表示灯（ランプ）が用いられてもよい。
【０１６６】
各表示灯は、格納棚１０の１の格納場所Ｐに対応付けられて、例えば１の格納場所Ｐに隣接して（例えば、上記実施形態と同様に格納場所Ｐの下方に）配置される。表示灯は、例えば、通常は消灯している（つまり待機状態表示は無点灯である）。コンピュータ２０の報知部は、商品が選択されると、選択された商品に対応するラベルの格納場所Ｐに対応する表示灯の表示を、待機状態表示（消灯）から選択状態表示（点灯）に切り換えて、選択された商品に対応するラベルの格納場所Ｐの情報を報知する。
【０１６７】
（４−３）変形例１Ｃ
上記実施形態における情報表示器３０の待機状態表示及び選択状態表示は例示であって、上述した態様に限定されるものではない。
【０１６８】
例えば、待機状態表示は、無表示であってもよい。つまり、情報表示器３０には、入力部２２から商品が選択されるまで何も表示されてなくてもよい。そして、報知部２６は、入力部２２から商品が選択されると、その商品に対応付けられた格納棚１０の格納場所Ｐに対応付けられている情報表示器３０に、格納されているラベルの印字内容を選択状態表示として表示させてもよい。
【０１６９】
（４−４）変形例１Ｄ
ＰＯＰラベル貼付支援システム１００は、複数のコンピュータ２０の記憶部２４を管理する管理サーバ４００を有しているが、これに限定されるものではない。ＰＯＰラベル貼付支援システム１００は、管理サーバ４００を有さず、１の作業場でだけ利用されるものであってもよい。
【０１７０】
（４−５）変形例１Ｅ
ＰＯＰラベル貼付支援システム１００では、報知部２６は、商品が選択されると、表示装置４０の表示部４１にＰＯＰラベル貼付支援画像を表示させることで、商品に対応するラベルの格納場所を報知するが、これに限定されるものではない。例えば、ＰＯＰラベル貼付支援システム１００は、表示装置４０を有していなくてもよい。報知部２６は、商品が選択されると、コンピュータ２０の出力部２３のディスプレイにＰＯＰラベル貼付支援画像を表示させることで、ＰＯＰラベル情報を報知してもよい。
【０１７１】
（４−６）変形例１Ｆ
ＰＯＰラベル貼付支援システム１００では、表示装置４０を用いて、視覚的に、選択された商品に対応するＰＯＰラベル情報を報知するがこれに限定されるものではない。例えば、視覚的な報知に加えて、又は、視覚的な報知に代えて、選択された商品に対応するＰＯＰラベル情報（例えば、ＰＯＰラベル特定情報や貼付位置情報等）が読み上げられる等、音声で選択された商品に対応するＰＯＰラベル情報が報知されてもよい。
【０１７２】
（４−７）変形例１Ｇ
ＰＯＰラベル貼付支援システム１００は、ラベル検査装置２００を有するが、ＰＯＰラベル貼付支援システムは、ラベル検査装置２００を有していなくてもよい。
【０１７３】
ただし、ＰＯＰラベル貼付支援システム１００は、ラベルの貼付の過誤を防止するため、ラベル検査装置２００を有することが好ましい。
【０１７４】
（４−８）変形例１Ｈ
ラベル提供システム１０００は、情報表示器３０を有するが、これに限定されるものではない。ラベル提供システム１０００は、情報表示器３０を備えていなくてもよい。
【０１７５】
（４−９）変形例１Ｉ
ＰＯＰラベル貼付支援システム１００は、ＰＯＰラベルに関して貼付位置情報及び貼付姿勢情報を報知するが、これに限定されるものではない。
【０１７６】
例えば、コンピュータ２０の記憶部２４の商品別ＰＯＰラベル情報記憶領域２４ｂには、商品を特定する商品情報と、主ラベルの貼付位置情報や貼付姿勢情報とが更に関連付けて記憶されてもよい。そして、ＰＯＰラベル貼付支援システム１００は、選択された商品に対応するＰＯＰラベル情報に加え、選択された商品に対応する主ラベルの貼付位置情報や貼付姿勢情報を報知してもよい。
【０１７７】
（４−１０）変形例１Ｊ
ＰＯＰラベル貼付支援画像の表示内容に含まれる基準サンプル画像Ｇは、主ラベルも貼付された状態の商品の画像であるが（図１１参照）、これに限定されるものではない。基準サンプル画像Ｇは、ＰＯＰラベルだけが適切に貼付された状態の商品の画像であってもよい。
【０１７８】
＜第２実施形態＞
本発明の第２実施形態に係るＰＯＰラベル貼付支援システム１００Ａ、及び、ＰＯＰラベル貼付支援システム１００Ａを備えた包装システム２０００について説明する。包装システム２０００は、ラベル提供システムの一例でもある。
【０１７９】
（１）全体構成
図１２は、ＰＯＰラベル貼付支援システム１００Ａを備えた包装システム２０００のブロック図である。図１３は、包装システム２０００の包装ラベル貼付装置５００の概略斜視図である。
【０１８０】
包装システム２０００は、未包装の商品（例えば容器に入れられた食品）を包装し、包装した商品に貼付する主ラベルを印字、発行し、商品に主ラベルを貼付するシステムである。また、包装システム２０００は、包装した商品に、ＰＯＰラベルを貼付するシステムである。包装システム２０００は、複数の商品にラベルを付す作業が行われる複数の作業場Ｂ１，Ｂ２，・・・Ｂｎに設置される。作業場Ｂ１，Ｂ２，・・・Ｂｎは、例えば、各種商品（例えば、生鮮食品等）の販売されるスーパーマーケット等の店舗や、店舗で販売される商品の加工拠点等である。
【０１８１】
包装システム２０００は、主に、ＰＯＰラベル貼付支援システム１００Ａと、格納棚１０と、各格納棚１０に対して複数設けられる情報表示器３０と、包装ラベル貼付装置５００と、を備える（図１２参照）。
【０１８２】
ＰＯＰラベル貼付支援システム１００Ａは、主に、コンピュータ２０Ａと、表示装置４０と、ラベル検査装置２００と、管理サーバ４００と、を含む（図１２参照）。
【０１８３】
格納棚１０と、情報表示器３０と、表示装置４０と、ラベル検査装置２００と、管理サーバ４００とは、第１実施形態と同様であるため、改めて説明する必要がない事項については説明を省略する。
【０１８４】
作業場Ｂ１，Ｂ２，・・・Ｂｎには、それぞれ、１つ又は複数の格納棚１０と、各格納棚１０に対して複数設けられる情報表示器３０と、１台又は複数台の包装ラベル貼付装置５００と、が設置される。なお図１２中では、作業場Ｂ１以外に設置される格納棚１０、情報表示器３０及び包装ラベル貼付装置５００については描画を省略している。また、作業場Ｂ１，Ｂ２，・・・Ｂｎには、それぞれ、表示装置４０と、コンピュータ２０Ａと、ラベル検査装置２００と、が設置される。なお、各作業場Ｂ１，Ｂ２，・・・Ｂｎに設置される表示装置４０、コンピュータ２０Ａ及びラベル検査装置２００の台数は、１台であっても、複数台であってもよい。
【０１８５】
以下の包装ラベル貼付装置５００及びコンピュータ２０Ａに関する説明では、作業場Ｂ１に設置されるこれらの機器５００，２０Ａについて説明する。他の作業場Ｂ２，・・・Ｂｎに設置される機器５００，２０Ａは、作業場Ｂ１に設置される機器５００，２０Ａと同様であるため、他の作業場Ｂ２，・・・Ｂｎに設置される機器５００，２０Ａについての説明は省略する。
【０１８６】
包装ラベル貼付装置５００は、未包装の商品（例えば、容器に収容された食品）をフィルムで包んで包装する装置である。また、包装ラベル貼付装置５００は、未包装の商品の包装と共に、商品の重量を計量し、重量に応じた商品価格を算出し、商品名、商品の重量、商品価格、及び商品ＩＤ（バーコード）を印字内容に含む主ラベルを印字、発行し、これを商品に貼付する装置である。また、包装ラベル貼付装置５００は、後述するコンピュータ２０Ａの報知部２６ａが報知するＰＯＰラベル情報に基づいて、ＰＯＰラベルを商品に貼付する装置である。
【０１８７】
コンピュータ２０Ａは、商品を特定する商品情報と、その商品に対応する、商品へのＰＯＰラベルの貼付に関するＰＯＰラベル情報とを関連付けて、商品別ＰＯＰラベル情報として記憶する。また、コンピュータ２０Ａは、商品にラベルを付す作業を行う作業員、及び、包装ラベル貼付装置５００に対し、ＰＯＰラベル情報を報知する。また、コンピュータ２０Ａは、情報表示器３０及び表示装置４０の表示を制御する。また、コンピュータ２０Ａは、包装ラベル貼付装置５００に主ラベルの印字に必要な情報を提供する。
【０１８８】
コンピュータ２０Ａと包装ラベル貼付装置５００とは、ネットワーク９６を介して接続されている。ネットワーク９６は、コンピュータ２０Ａと包装ラベル貼付装置５００との間で送受信される信号の伝送路として機能する。ネットワーク９６は、通信ケーブル等を用いて構成されるいわゆる有線ＬＡＮである。なお、コンピュータ２０Ａと包装ラベル貼付装置５００とは、無線で接続されてもよい。
【０１８９】
コンピュータ２０Ａと情報表示器３０とのネットワーク９１を介した接続、コンピュータ２０Ａと表示装置４０とのネットワーク９２を介した接続、コンピュータ２０Ａとラベル検査装置２００とのネットワーク９３を介した接続、及び、コンピュータ２０Ａと管理サーバ４００とのネットワーク９５を介した接続は、第１実施形態と同様であるため、説明は省略する。
【０１９０】
（２）詳細構成
包装ラベル貼付装置５００と、ＰＯＰラベル貼付支援システム１００Ａと、について更に説明する。
【０１９１】
（２−１）包装ラベル貼付装置
包装ラベル貼付装置５００は、モニタ５１０、操作部５２０、計量搬入機構５３０、包装機構５４０、貼付機構５５０、及び制御ユニット５６０を有する（図１２及び図１３参照）。貼付機構５５０は、主ラベル印字貼付機構５５０ａと、ＰＯＰラベル貼付機構５５０ｂと、を含む（図１３参照）。
【０１９２】
モニタ５１０は、液晶モニタである。モニタ５１０には、包装ラベル貼付装置５００の使用者に対する各種情報が表示される。
【０１９３】
操作部５２０は、包装ラベル貼付装置５００の使用者による各種操作を入力として受け付けるキーである。使用者は、例えば、ある種類の商品について、未包装の商品を包装し、その商品に対し、主ラベルを印字、発行させる際に、操作部５２０から対象商品を選択（対象商品の種類を選択）する。使用者は、主ラベルの印字対象の商品の種類を変更する場合に、再度、操作部５２０から対象商品を選択する。なお、操作部５２０から商品が選択されると、制御ユニット５６０は、ネットワーク９６を介して、選択された商品を通知する信号をコンピュータ２０Ａへと送信する。
【０１９４】
計量搬入機構５３０は、未包装の商品の重量を計量し、包装機構５４０へと搬入する機構である。計量搬入機構５３０は、例えば特開２００４−３２３１１４に開示された機構と同様である。ここでは詳細な説明は省略する。
【０１９５】
包装機構５４０は、未包装の商品を包装する機構である。包装機構５４０による未包装の商品の包装は、例えば特開２００４−３２３１１４に開示された態様で行われる。ここでは詳細な説明は省略する。
【０１９６】
貼付機構５５０は、包装機構５４０による包装済みの商品に、主ラベルと、ＰＯＰラベルとを貼付する機構である。
【０１９７】
貼付機構５５０の主ラベル印字貼付機構５５０ａは、プリンタ（図示省略）と、主ラベル貼付部（図示省略）と、を含む。プリンタは、制御ユニット５６０によって制御され、未印字のラベルに、制御ユニット５６０が決定した印字画像を印字し、印字済みのラベル（主ラベル）を発行する。主ラベル貼付部は、制御ユニット５６０によって制御され、主ラベルを商品に貼付する機構である。主ラベル印字貼付機構５５０ａのプリンタ及び主ラベル貼付部は、例えば特開２００４−３２３１１４に開示されているプリンタ及び値付機と同様に、図示しないモータで水平方向に移動可能に構成されていることが好ましい。また、好ましくは、主ラベル貼付部は、図示しないモータで鉛直方向に延びる軸回りを回転可能に構成されていることが好ましい。
【０１９８】
貼付機構５５０のＰＯＰラベル貼付機構５５０ｂは、プリンタは有さず、ＰＯＰラベル貼付部を主に有する。ＰＯＰラベル貼付部は、制御ユニット５６０によって制御され、予め印字されているＰＯＰラベルを商品に貼付する機構である。ＰＯＰラベル貼付機構５５０ｂのＰＯＰラベル貼付部は、主ラベル印字貼付機構５５０ａの主ラベル貼付部と同様に、図示しないモータで水平方向に移動可能に構成されていることが好ましい。また、好ましくは、ＰＯＰラベル貼付部は、図示しないモータで鉛直方向に延びる軸回りを回転可能に構成されていることが好ましい。
【０１９９】
制御ユニット５６０は、ＣＰＵや、ＲＯＭ、ＲＡＭ等の記憶部を備えたコンピュータである。制御ユニット５６０は、モニタ５１０、操作部５２０、計量搬入機構５３０，包装機構５４０、及び貼付機構５５０と電気的に接続されている。制御ユニット５６０は、ＣＰＵが記憶部に記憶されたプログラムを実行することで、包装ラベル貼付装置５００の動作を制御する。
【０２００】
例えば、制御ユニット５６０は、操作部５２０から商品が選択されると、その商品の主ラベルの印字に必要な各種データ（例えば、商品の重量あたりの単価や、商品ＩＤ等）の送信を、ネットワーク９６を介してコンピュータ２０Ａに要求する。コンピュータ２０Ａは、この要求に応じて、包装ラベル貼付装置５００に要求された情報を送信する。また、コンピュータ２０Ａは、主ラベルの印字に必要な各種データに加え、選択された商品に対応するＰＯＰラベル情報の少なくとも一部（例えば、前述の貼付位置情報及び貼付姿勢情報）を報知（送信）する。また、制御ユニット５６０は、未包装の商品が計量搬入機構５３０に置かれ、商品の重量が計量搬入機構５３０により計量されると、コンピュータ２０Ａから受信した商品の重量あたりの単価と、計量搬入機構５３０から送信されてくる計量値とに基づいて商品の価格を算出する。また、制御ユニット５６０は、計量搬入機構５３０の動作を制御して未包装の商品を包装機構５４０へと搬送させる。また、制御ユニット５６０は、包装機構５４０の動作を制御して、未包装の商品を包装させる。また、制御ユニット３４０は、商品の名称、商品ＩＤ（バーコード）、計量された重量、商品の価格を印字内容に含む印字画像を生成し、この印字画像が印字された主ラベルを発行するよう、主ラベル印字貼付機構５５０ａのプリンタを制御する。また、制御ユニット５６０は、主ラベルが所定の位置に貼り付けられるよう、主ラベル印字貼付機構５５０ａの主ラベル貼付け部を制御する。また、制御ユニット５６０は、ＰＯＰラベル貼付機構５５０ｂのＰＯＰラベル貼付部の動作を、コンピュータ２０Ａから報知されたＰＯＰラベル情報に基づいて、ＰＯＰラベルを商品に貼付する。例えば、制御ユニット５６０は、ＰＯＰラベル貼付機構５５０ｂのＰＯＰラベル貼付部の動作を、コンピュータ２０Ａから報知されたＰＯＰラベルの貼付位置情報及び貼付姿勢情報に基づいて、報知された位置に、報知された姿勢で、ＰＯＰラベルを商品に貼付する。
【０２０１】
（２−２）コンピュータ
コンピュータ２０Ａは、商品に関する各種情報を記憶・管理する装置である。
【０２０２】
コンピュータ２０Ａは、制御部２５ａ及び報知部２６ａ以外は、第１実施形態のコンピュータ２０と同様である。ここでは、コンピュータ２０との相違点である制御部２５ａ及び報知部２６ａについて説明し、その他の構成についての説明は省略する。
【０２０３】
（２−２−１）制御部
制御部２５ａは、物理的な構成は、第１実施形態のコンピュータ２０の制御部２５と同様である。
【０２０４】
制御部２５ａは、記憶部２４に記憶されているプログラムを実行することで、ＰＯＰラベル貼付支援システム１００Ａや包装システム２０００を制御する。例えば、制御部２５ａは、第１実施形態の制御部２５と同様に、ネットワーク９１，９２を介して接続されている情報表示器３０及び表示装置４０の表示を制御する。また、制御部２５ａは、例えば、包装ラベル貼付装置５００から、情報の送信要求があると、ネットワーク９６を介して送信を要求された情報を包装ラベル貼付装置５００へと送信する。また、制御部２５ａ（特に、制御部２５ａの機能部としての報知部２６ａ）は、包装ラベル貼付装置５００から送信を要求された情報に加え、選択された商品に対応するＰＯＰラベル情報の少なくとも一部（例えば、前述の貼付位置情報及び貼付姿勢情報）を包装ラベル貼付装置５００に対し報知（送信）する。
【０２０５】
制御部２５ａによる情報表示器３０及び表示装置４０の表示の制御については、第１実施形態と同様であるため、ここでは説明を省略する。
【０２０６】
制御部２５ａの機能部としての報知部２６ａによる、包装ラベル貼付装置５００に対するＰＯＰラベル情報の報知について以下に説明する。
【０２０７】
制御部２５ａは、包装ラベル貼付装置５００が送信する商品の選択を通知する信号を通信部２１が受信すると（商品の選択を受け付けると）、以下のように包装ラベル貼付装置５００に対してＰＯＰラベル情報を報知する。なお、商品の選択は、包装ラベル貼付装置５００で包装、ラベル貼付の対象商品が変更となる時、あるいは、これまで何も処理していなかった包装ラベル貼付装置５００が商品に対する処理を開始する時等に行われる。
【０２０８】
制御部２５ａは、商品が選択されると（通信部２１が受け付けた信号から、選択された商品の商品ＩＤが特定されると）、機能部としての報知部２６ａが、記憶部２４の商品別ＰＯＰラベル情報記憶領域２４ｂに記憶された商品別ＰＯＰラベル情報に基づき、選択された商品に対応するＰＯＰラベル情報の少なくとも一部を、ネットワーク９６を介して包装ラベル貼付装置５００に報知する。例えば、報知部２６ａは、記憶部２４の商品別ＰＯＰラベル情報記憶領域２４ｂに記憶された商品別ＰＯＰラベル情報に基づき、選択された商品に貼付されるＰＯＰラベルの貼付位置情報及び貼付姿勢情報を、ネットワーク９６を介して包装ラベル貼付装置５００に報知する。
【０２０９】
なお、包装ラベル貼付装置５００の使用者は、包装ラベル貼付装置５００に商品の包装や主ラベル及びＰＯＰラベルの貼付を行わせる前に、情報表示器３０や表示装置４０の表示に基づいて、選択された商品に貼付されるＰＯＰラベルを格納棚１０の格納場所Ｐから取り出して、これを包装ラベル貼付装置５００の図示しないＰＯＰラベル格納場所にセットする。
【０２１０】
（３）特徴
記載の重複を避けるために省略するが、本実施形態に係るＰＯＰラベル貼付支援システム１００Ａは、第１実施形態の（３）特徴の項でＰＯＰラベル貼付支援システム１００の特徴として記載した、（３−１）及び（３−８）の特徴と同様の特徴を有する。
【０２１１】
また、記載の重複を避けるために省略するが、本実施形態に係るＰＯＰラベル貼付支援システム１００Ａを備えた包装システム２０００は、第１実施形態の（３）特徴の項でＰＯＰラベル貼付支援システム１００を備えたラベル提供システム１０００の特徴として記載した、（３−９）の特徴と同様の特徴を有する。
【０２１２】
さらに、本実施形態に係るＰＯＰラベル貼付支援システム１００Ａを備えた包装システム２０００は、以下の特徴を有する。
【０２１３】
包装システム２０００は、ＰＯＰラベル貼付支援システム１００Ａと、包装機構５４０と、貼付機構５５０と、を備える。包装機構５４０は、未包装の商品を包装する。貼付機構５５０は、包装済みの商品に、少なくとも商品名を印字内容に含む主ラベルと、ＰＯＰラベルとを貼付する。貼付機構５５０は、ＰＯＰラベル貼付支援システム１００Ａの報知部２６ａが報知するＰＯＰラベル情報の少なくとも一部に基づいて、ＰＯＰラベルを商品に貼付する。
【０２１４】
包装システム２０００では、ＰＯＰラベル貼付支援システム１００Ａが報知するＰＯＰラベル情報に基づいて商品にＰＯＰラベルが貼付されるので、商品に、適切に（規定に沿って）、効率よくＰＯＰラベルを貼付することができる。
【０２１５】
（４）変形例
上記実施形態のＰＯＰラベル貼付支援システム１００Ａの変形例、及びＰＯＰラベル貼付支援システム１００Ａを備えた包装システム２０００の変形例を以下に示す。なお、各変形例は、互いに矛盾が生じない範囲で他の変形例と組み合わせて適用されてもよい。
【０２１６】
また、第２実施形態のＰＯＰラベル貼付支援システム１００Ａ及び包装システム２０００の構成及びその変形例の構成と、第１実施形態のＰＯＰラベル貼付支援システム１００及びラベル提供システム１０００や第１実施形態の変形例の構成とは、互いに矛盾が生じない範囲で適宜組み合わされてもよい。
【０２１７】
（４−１）変形例２Ａ
第２実施形態のＰＯＰラベル貼付支援システム１００Ａは、表示装置４０を有し、包装ラベル貼付装置５００の使用者に対してＰＯＰラベル情報を報知する。ただし、これに限定されるものではなく、ＰＯＰラベル貼付支援システム１００Ａは、表示装置４０を有さなくてもよい。
【０２１８】
なお、このように構成される場合には、包装ラベル貼付装置５００の使用者は、例えば情報表示器３０の表示に基づいて商品に対応するＰＯＰラベルを格納棚１０の格納場所Ｐから取り出し、取り出したＰＯＰラベルをＰＯＰラベル貼付機構５５０ｂにセットすることが好ましい。
【０２１９】
また、包装ラベル貼付装置５００にＰＯＰラベルの格納場所が複数設けられ、ＰＯＰラベル貼付機構５５０ｂのＰＯＰラベル貼付部が、制御ユニット５６０からの指示に応じて、貼付するＰＯＰラベルを取り出す格納場所を変更するように構成されてもよい。ＰＯＰラベル貼付機構５５０ｂが自動で使用するＰＯＰラベルを変更可能である場合、人がＰＯＰラベルの種類を変更する手間を省くことができる。
【０２２０】
（４−２）変形例２Ｂ
上記実施形態では、貼付機構５５０は、ＰＯＰラベル貼付機構５５０ｂを１つ有するが、これに限定されるものではなく、ＰＯＰラベル貼付機構５５０ｂを複数有してもよい。なお、複数のＰＯＰラベル貼付機構５５０ｂのそれぞれが、使用するＰＯＰラベルの格納場所を有している場合、商品によって貼付するＰＯＰラベルが変更になった場合に、使用するＰＯＰラベル貼付機構５５０ｂを変更することで、人がＰＯＰラベルの種類を変更する手間を省くことができる。
【０２２１】
（４−３）変形例２Ｃ
第２実施形態では、ＰＯＰラベル貼付支援システム１００Ａと、包装機構５４０と、貼付機構５５０と、を有する包装システム２０００について説明したが、例えば、ＰＯＰラベル貼付支援システム１００Ａと、貼付機構５５０と、を利用して（包装機構５４０は省略して）、包装済みの商品に対して主ラベル及びＰＯＰラベルを自動で貼付するラベル提供システムを実現することもできる。
【産業上の利用可能性】
【０２２２】
本発明は、適切にかつ効率よく商品にＰＯＰラベルを貼付することを可能にするＰＯＰラベル貼付支援システム、またこれを利用したラベル提供システム及び包装システムとして有用である。
【符号の説明】
【０２２３】
１０              格納棚（格納部）
２１              通信部（受付部）
２２              入力部（受付部）
２４              記憶部
２６，２６ａ      報知部
４１              表示部
１００，１００Ａ  ＰＯＰラベル貼付支援システム
２１０            カメラ（撮像部）
２２０            検査用コンピュータ（貼付適否判定部）
４００            管理サーバ（記憶部管理部）
５４０            包装機構
５５０            貼付機構
１０００          ラベル提供システム
２０００          包装システム（ラベル提供システム）
Ｇ                基準サンプル画像（画像情報）
Ｐ                格納場所
Ｒ１，Ｒ２，Ｒ３  ＰＯＰラベル
【先行技術文献】
【特許文献】
【０２２４】
【特許文献１】特開２００２−１７２８２０号公報
【図１】
2018131232.tif 000003
【図２】
2018131232.tif 000004
【図３】
2018131232.tif 000005
【図４】
2018131232.tif 000006
【図５】
2018131232.tif 000007
【図６】
2018131232.tif 000008
【図７】
2018131232.tif 000009
【図８】
2018131232.tif 000010
【図９】
2018131232.tif 000011
【図１０】
2018131232.tif 000012
【図１１】
2018131232.tif 000013
【図１２】
2018131232.tif 000014
【図１３】
2018131232.tif 000015
【図１４】
2018131232.tif 000016